(57)【特許請求の範囲】
【請求項１】
支持杆の先端に切刃を先方に向けた刃体を装着し、該刃体の先方をガード杆で囲うとともに、該ガード杆の一部を基方に向けて開放することによって花卉類の茎を刃体の基方から刃体の先方に誘導可能とし、支持杆を持って刃体を先方に押すことにより刃体の先方に誘導した花卉類の茎を切断することを特徴とする菊などの花卉類の茎切断具。
【請求項２】
支持杆の先端に装着する刃体を短寸法の刃体ホルダーに固着し、該刃体ホルダーを長寸の支持杆の先端に着脱自在に装着することを特徴とする請求項１記載の菊などの花卉類の茎切断具。
【請求項３】
刃体の先端に形成する切刃を、刃体の押し出し方向に対して傾斜させたことを特徴とする請求項１又は２記載の菊などの花卉類の茎切断具。
【請求項４】
刃体の先方を囲うガード杆の一端を刃体の基部に軸着し、刃体の先方を囲っているガード杆を切刃の先方から排除することを可能とするとともに、該ガード杆を刃体の先方位置に係止する係止手段を備えたことを特徴とする請求項１，２又は３記載の菊などの花卉類の茎切断具。
【請求項５】
刃体の先方を囲うガード杆をガードホルダーに装着し、該ガードホルダーを刃体、刃体ホルダーもしくは支持杆の一部に着脱自在に装着することを特徴とする請求項１，２又は３記載の菊などの花卉類の茎切断具。
【発明の詳細な説明】
【０００１】
【発明の属する技術分野】
この発明は、菊やカーネーションその他、花卉類の茎を出荷などの目的で切断するための切断具に関する発明である。
【０００２】
【従来の技術】
花卉類の茎を切断するには、剪定鋏を使用するのが最も一般的である。しかしながら、菊やカーネーションといった花卉類では、茎を根元の近くで切断する。この場合、剪定鋏を使用するのは不便であるため、図１１に示すような切断具が使用されている。この切断具は、長寸の支持杆Ａの先端に小型の鎌形状の刃体Ｂを取り付けたものであって、作業者は立った姿勢で花卉の茎の根元近くを手前に引くようにして切断することができる。
【０００３】
【発明が解決しようとする課題】
図１１に示す従来の花卉類の切断具では、作業者は立った姿勢で花卉の茎を根元近くから切断することができるものであるが、鎌形状の刃体を手元方向に強く引いたときに、茎が切断されずに根元から引き抜かれる事態が発生する欠点があった。このように、茎が切断されずに引き抜かれると、株そのものが枯れてしまったり、その以後の株の成長に支障をきたすという欠点があった。また、一定寸法である鎌形状の刃体を引っ張ったときに、切断しようとした茎以外に隣接する茎を切断してしまう可能性が高いという欠点もある。これは、特に密植されている場合に起こり易い。
上記、従来技術の欠点に鑑み作業者が立った姿勢で作業を行うことができるものであって、株が引き抜かれるようなことがなく、しかも近くにある切断しようとするもの以外の茎を誤って切断してしまうようなことのない、花卉類の茎切断具を得ることを目的とするものである。
【０００４】
【課題を解決するための手段】
上記課題を解決するために、本発明は支持杆１の先端に切刃3を先方に向けた刃体２を装着し、この刃体２の先方をガード杆４で囲う。そして、ガード杆４の一部を基方に向けて開放することによって花卉類の茎を刃体２の基方から切刃３の先方に誘導可能とし、支持杆１を持って刃体２を先方に押すことにより切刃３の先方に誘導した花卉類の茎だけを切断するようにする。これにより、花卉の茎に株を引き抜く方向の力を働かせずに作業を進めることが可能となる。
【０００５】
支持杆１の先端に装着する刃体２は短寸法の刃体ホルダー５に固着しておき、この刃体ホルダー５を長寸法の支持杆１の先端に着脱自在としておくと取り扱いに便利である。また、刃体２の先端に形成する切刃３を、刃体２の押し出し方向に対して傾斜させておくと、被切断物である茎を効果的に切断することができる。さらに、刃体２の先方を囲うガード杆４の一端を刃体２の基部に軸着し、切刃３の先方を囲っているガード杆４を切刃の先方から排除することを可能とするとともに、ガード杆４を刃先の先方に回動させた位置に係止する係止手段を備えておくとよい。このようにしておくと、切刃の研磨など刃体の手入れをする場合にガード杆４が邪魔にならず便利である。
【０００６】
その他、刃体２の先方を囲うガード杆４を別体のガードホルダー６に装着しておき、これを刃体２もしくは刃体ホルダー５あるいは支持杆１の一部に着脱自在に装着することができるようにしておくと、研磨その他刃体のお手入れに便利であるだけでなく、ガードホルダー６を取り外してしまうことによって、一般の刃物として利用することができる。
【０００７】
【発明の実施の形態】
以下、本発明に係る菊などの花卉類の茎切断具、の実施の形態を添付の図に基づいて説明する。
図１は、本発明に係る茎切断具の先端部分のみの正面図、図２はその背面図、図３は中央縦断面図である。
【０００８】
この茎切断具は、長い支持杆１の先端に着脱自在とした刃体ホルダー５を装着することによって、支持杆１の先端に切刃３を先方に向けた刃体２を装着する。すなわち、図３から理解されるように、円筒状に形成した刃体ホルダー５に上端面から切り込み８を形成し、切り込み８に平板状の刃体２の基部を挿入した状態で止めネジ７によって固定する。この刃体ホルダー５の基端部には雄ネジ９を形成するとともに支持杆１の先端を雌ネジ筒とし、支持杆１の先端に自由に着脱できるようにしている。もっとも、図示実施形態では、刃体ホルダーを支持杆１の先端に着脱するようにしているが、長寸法の支持杆１先端に刃体２を直接装着するものであってもよい。
【０００９】
刃体２には、刃先の先方を囲うガード杆４を装着する。図１及び図２に示す実施形態のガード杆４は、一端を刃体２の基端部に固定した線材の先方部分を折曲して、刃体２の先方を迂回させることによって刃体の先方を囲っている。迂回させた線材の先端は、刃体２の基方に向けて開放することによって、花卉の茎を容易に通過させることができる。すなわち、迂回させた支持杆１としての線材と刃体２の側縁との間に花卉の軸を通過させることができる寸法Ｘの隙間を形成しておく。ガード杆４としての線材の基端は、接着剤やロウ付けによって刃体２に固定するが、ガード杆４がより安定的に装着されるように、刃体側縁に中間固定部１０を設けておき、この中間固定部１０でも支持する。このような二点支持によって、支持杆１がしっかりと保持されるようにしておくとよい。
【００１０】
上記、形態の茎切断具による作業過程を図４によって説明する。例えば、比較的狭い間隔で植えられている花卉の茎ａ，ｂ，ｃの内、茎ｂを切断しようとする場合、図４の(a)に示すように手前側から茎切断具の先端部分、すなわちガード杆４の先端部分を、茎ｂとｃの間に押し込んで行く。このとき、たとえ花卉の植え込み間隔が狭くても、ガード杆４によって茎ｂとｃは矢印で示すように、両側に押し退けられて図４の(b)に示すように、ガード杆４及び刃体２の先端部分が花卉の向こう側に押し出される。
【００１１】
次に図４の(b)に示すように、切断しようとする茎ｂをガード杆４の開放部分に誘導しながら茎切断具全体を手前に移動させる。すると図４の(c)に示すように花卉の茎bはガード杆４の内側に取り込まれる。この状態で、茎切断具全体を矢印で示すように前方に推し進めると、図４の(d)に示すように目的の花卉の茎ｂだけが切断される。このとき、茎ａやｃはガード杆4によって強制的に外方に押し出されるため、たとえ狭い間隔で植え付けられているものであっても、誤って目的以外の茎を切断してしまうことはない。
【００１２】
前記、図４に示す茎の切断作業は、図１０に示すように作業者が支持杆１の基端部を手で持った状態で行う。したがって、図４の(ｃ)から 図４の(d)に示す、茎を切断する作業は、斜め上方から下方に押し付ける切刃の移動によって行われることになる。このことは、たとえ切刃３の切れ味が悪いものであっても、切断力は株を地面方向に押し付ける力として作用し、株を引き抜く方向に力が作用しない。そのため、不用意に花卉の株が引き抜かれる可能性がない。
【００１３】
線材を折曲（湾曲）させて形成するガード杆４は、図５の(a)に示すように刃体と同一平面上において折曲させるものであってもよいが、図５の(b)に示すように開放端を形成する線材の先方部分を刃体の面と交差する方向に折曲させることもできる。いずれの場合にも、ガード杆４と刃体２との間に切断しようとする花卉の茎が通過する寸法Ｘの間隔を形成するが、図５の(a)に示すように刃体と同一平面上においてガード杆４を折曲形成する場合は、ガード杆全体の幅Ｗが、比較的広いものとなる。しかしながら、図５の(b)に示すように開放端を形成する線材の先方部分を刃体の面と交差する方向にずらせて折曲すると、多少狭い幅W’とすることができる。この場合、茎の切断具を傾けながら花卉の茎を隙間Ｘに誘導することになる。
【００１４】
図１ないし図３に示す実施形態は、線材で形成したガード杆を刃体２に固定している。しかしながら、切刃３の先方に位置するガード杆を切刃３の先方位置から排除することができるようにしておくと、切刃３の研磨などの手入れに便利である。切刃３の先方を囲っているガード杆を切刃の先方から排除するには、図６に示すようにガード杆４の基端を刃体２の基部に軸支しておき、点線で示すように刃体２の側方に回動させることで実現することができる。この場合、ガード杆４を刃体２の先方を囲う状態、換言すれば使用状態にロックすることができる係止手段を設けておく。
【００１５】
上記ガード杆４の係止手段は、ガード杆4を定位置に保持することができるものであれば任意の構造を採用することができるが、図６及び図７には一例として係止バネを使用する実施形態を示している。この実施形態は、刃体２の表裏両面にそれぞれ板状の係止バネ１１，１１を固定しておき、一対の係止バネによってガード杆の一部を抱持させるものであり、係止バネの弾性に抗してガード杆４を自由に係脱することが可能である。
【００１６】
図６及び図７に示す実施形態は、ガード杆４を刃体２に装着したままの状態でガード杆を刃体の先方から排除できるようにしている。しかしながら、図８及び図９に示す実施形態では、ガード杆４を備えたガードホルダーそのものを刃体２や支持杆１に対して着脱自在としているためより取り扱いに便利である。また、ガード杆を備えたガードホルダーを支持杆に着脱自在とするものでは、用途やサイズの異なるガード杆を備えた複数種類のガードホルダー、例えばカーネーション用と菊用、あるいは大菊輪用と中輪菊用といったものを複数準備しておき、適宜取り替えることによって多用途に共通して利用することが可能となる。
【００１７】
上記、図８及び図９に示す実施形態では、ガード杆４を備えたガードホルダー６を刃体ホルダー５に着脱自在としている。すなわち、図８に実線で示すように一定幅のバネ板を湾曲形成することによって形成したガードホルダー６にガード杆４を固定している。そして、図９もしくは図８に点線で示すように、ガードホルダー６を刃体ホルダー５に着脱自在としている。刃体ホルダー５にはガードホルダー６を定位置に装着することができるように、係合段部12を形成している。
【００１８】
上記実施形態では、ガードホルダー６を支持杆の一部とも言うべき刃体ホルダー５に着脱自在としているが、ガードホルダー６は刃体２あるいは長尺の支持杆１の先端部に着脱するものであってもよい。また、ガードホルダー６の形状や構造は、図示例のようにバネによって着脱するものに限らず、例えば締め付け固定するものやネジ止め固定するものであってもよい。
【００１９】
いずれにしても、ガード杆４を切刃の先方から取り除くことができるようにしておくと、切刃の手入れに都合がよいとともに必要に応じて任意用途の切断具として活用することができる。なお、図６に示す実施形態の切刃は、切り出しナイフのように刃体の押し出し方向に対して斜め方向に傾斜させて形成している。このように切刃を傾斜方向に形成しておくと、花卉の茎が切り易くなるとともに、前記ガード杆4を取り除いて任意用途の切断具として使用する場合に使い易ものとなる。
さらに、図示例の刃体２は、切り出しナイフのように一体に形成するものを開示しているが、刃体ホルダー５に使い捨ての替え刃を着脱自在とするものであってもよい。
【００２０】
【発明の効果】
請求項１記載の本発明、菊などの花卉類の茎切断具によれば、作業者が立ったままの姿勢で、切断しようとする茎を前方への押し切り作用によって切断することができる。そのため、茎に作用する力によって誤って株を引き抜いてしまうような虞がない。また切断作業時には、切刃の先方がガード杆によって囲われているため、切断しようとする茎以外の茎を誤って切断してしまう危険性がない。
【００２１】
請求項２記載の発明によれば、刃体を装着した短寸法の刃体ホルダーを支持杆の先端に着脱するとによって、使用時以外には危険な刃体を取り外して安全に保管できる他、複数種類の刃体ホルダーを準備しておき用途ごとに取り替えて使用することができる。
【００２２】
請求項３記載の発明によれば、刃体の先端に形成する切刃を斜めに形成することによって、茎切断具の押し切り操作によって、茎をより良く切断することができる。
【００２３】
請求項４記載の発明によれば、刃体の先方を囲うガード杆を切刃の先方から排除可能とすることにより、刃体の切刃を研磨するといった取り扱いに便利なものとなる。
【００２４】
請求項５記載の発明によれば請求項４記載の発明と同じように、刃先研磨などの取り扱いに都合が良いとともに、ガード杆を取り外して任意目的の切断具、刃物として利用することが可能である。
【図面の簡単な説明】
【図１】図１は、本発明に係る花卉類の茎切断具の先端部分のみの正面図、
【図２】図２は、図１の背面図、
【図３】図３は、図１の中央縦断面図、
【図４】図４は、本発明に係る花卉類の茎切断具による作業工程を示す略図、
【図５】図５は、図１のＶ-Ｖ線断面図、
【図６】図６は、別の実施形態を示す本発明に係る花卉類の茎切断具の先端部分のみの正面図、
【図７】図７は、図６のVII-VII線拡大断面図、
【図８】図８は、刃体ホルダーに対してガードホルダーを着脱自在とする実施形態を示す、刃体ホルダーとガードホルダーの正面図、
【図９】図９は、刃体ホルダーにガードホルダーを装着した状態の拡大横断面図、
【図１０】図１０は、本発明に係る茎切断具を使用する作業状態を示す略図、
【図１１】図１１は、従来の花卉類の茎切断具の一例を示す正面図。
【符号の説明】
１…支持杆、  ２…刃体、  ３…切刃、  ４…ガード杆、  ５…刃体ホルダー、６…ガードホルダー、  ７…止めネジ、  ８…切り込み、  ９…雄ネジ、  １０…中間固定部、  １１…係止バネ、  １２…係合段部。
【図１】
0003727256.tif 000002
【図２】
0003727256.tif 000003
【図３】
0003727256.tif 000004
【図４】
0003727256.tif 000005
【図５】
0003727256.tif 000006
【図６】
0003727256.tif 000007
【図７】
0003727256.tif 000008
【図８】
0003727256.tif 000009
【図９】
0003727256.tif 000010
【図１０】
0003727256.tif 000011
【図１１】
0003727256.tif 000012